(57)【要約】【課題】  従来技術では、別機材で記録された動画像と音声とを精度良く同期させることが難しかった。【解決手段】  本発明に係るカメラは、被写体像を撮像し、撮像信号を出力する撮像部と、記録開始指示に基づいて前記撮像部により出力された撮像信号を動画像として記憶媒体に記録させる動画記録制御部と、前記記録開始指示に基づいて第１識別音を発する音発生部と、前記第１識別音が発せられたタイミングを示す識別情報を前記動画像に関連付けて前記記憶媒体に記録させる識別情報記録制御部とを有することを特徴とする。【選択図】図２
2012100216.tif 000002
【特許請求の範囲】
【請求項１】
被写体像を撮像し、撮像信号を出力する撮像部と、
記録開始指示に基づいて前記撮像部により出力された撮像信号を動画像として記憶媒体に記録させる動画記録制御部と、
前記記録開始指示に基づいて第１識別音を発する音発生部と、
前記第１識別音が発せられたタイミングを示す識別情報を前記動画像に関連付けて前記記憶媒体に記録させる識別情報記録制御部と
を有することを特徴とするカメラ。
【請求項２】
被写体像を撮像し、撮像信号を出力する撮像部と、
記録開始指示が与えられる時点を含む期間において、前記撮像部により出力された撮像信号を動画像として記憶媒体に記録させる動画記録制御部と、
前記記録開始指示が与えられる時点よりも前に第１識別音を発する音発生部と、
前記第１識別音が発せられたタイミングを示す識別情報を前記記憶媒体に記録させる識別情報記録制御部と
を有することを特徴とするカメラ。
【請求項３】
請求項１または２に記載のカメラにおいて、
前記識別情報は、予め設定された識別画像，前記音発生部が出力する第１識別音を示す第１音声情報，予め設定された第２識別音を示す第２音声情報の少なくとも１つの情報である
ことを特徴とするカメラ。
【請求項４】
請求項１に記載のカメラにおいて、
前記音発生部は、前記動画記録制御部による前記動画像の記録開始と同時、または、前記動画像の記録開始から所定時間内に、前記第１識別音を発する
ことを特徴とするカメラ。
【請求項５】
請求項１から４のいずれか一項に記載のカメラにおいて、
外部音を入力する音入力部と、
前記音入力部から入力する外部音の音圧を測定し、測定する外部音の音圧に応じて前記音発生部から出力する前記第１識別音の音圧を可変する音圧制御部と
を更に設けたことを特徴とするカメラ。
【請求項６】
請求項１から５のいずれか一項に記載のカメラにおいて、
前記動画記録制御部は、撮像部により出力された所定フレーム数に対応する撮像信号を処理ブロック単位でフレーム相関による圧縮を行って前記記憶媒体に記録させ、
前記識別情報記録制御部は、前記記録媒体において、前記記録開始指示が与えられたタイミングに近接する前記処理ブロックの境界位置に前記識別情報を記録する
ことを特徴とするカメラ。
【請求項７】
請求項１から５のいずれか一項に記載のカメラにおいて、
前記動画記録制御部は、撮像部により出力された１フレームを示す撮像信号をフレーム毎に圧縮を行って前記記憶媒体に記録させ、
前記識別情報記録制御部は、前記記録媒体において、前記記録開始指示が与えられたタイミングに近接するフレーム位置に前記識別情報を記録する
ことを特徴とするカメラ。
【請求項８】
請求項２に記載のカメラにおいて、
前記識別情報記録制御部は、前記記録開始指示が与えられる所定時間前から、前記識別情報を所定間隔で前記記憶媒体に記録させ、
前記音発生部は、第１識別音を発する処理を繰り返し実行する
ことを特徴とするカメラ。
【請求項９】
請求項１に記載のカメラにおいて、
さらに、前記記録開始指示が与えられたタイミングに近接するフレームの位置を示すフレーム位置情報を特定するフレーム位置特定部を備え、
前記識別情報記録制御部は、撮像終了後に前記フレーム位置特定部により特定された前記フレーム位置情報が示す画像のフレームを前記識別画像に置き換えて前記記憶媒体に記録させる
ことを特徴とするカメラ。
【請求項１０】
被写体像を撮像し、撮像信号を出力する撮像処理と、
記録開始指示に基づいて前記撮像処理により出力された撮像信号を動画像として記憶媒体に記録させる動画記録制御処理と、
前記記録開始指示に基づいて第１識別音を発する音発生処理と、
前記第１識別音が発せられたタイミングを示す識別情報を前記動画像に関連付けて前記記憶媒体に記録させる識別情報記録制御処理と
をコンピュータに実行させることを特徴とする動画撮影プログラム。
【請求項１１】
被写体像を撮像し、撮像信号を出力する撮像処理と、
記録開始指示が与えられる時点を含む期間において、前記撮像処理により出力された撮像信号を動画像として記憶媒体に記録させる動画記録制御処理と、
前記記録開始指示が与えられる時点よりも前に第１識別音を発する音発生処理と、
前記第１識別音が発せられたタイミングを示す識別情報を前記記憶媒体に記録させる識別情報記録制御処理と
をコンピュータに実行させることを特徴とする動画撮影プログラム。
【発明の詳細な説明】
【技術分野】
【０００１】
本発明は、動画撮影された画像と音声を同期再生するための技術に関する。
【背景技術】
【０００２】
従来のカメラでは、動画撮影時の音声を内蔵マイクで拾う場合、ズームレンズやフォーカスレンズの駆動音が記録され易いため、外部マイクの使用や高音質で記録できる別機材による音声記録などが行われている。ところが、音声と動画像をそれぞれ別の機材で記録した後で編集する場合、音声と動画像の同期を取る必要があり、撮影時に「カチンコ」と呼ばれる拍子木のような音を出す道具が用いられる。例えば、「カチンコ」を閉じて音を出す時の動画像と音声をそれぞれ別の機材で記録し、撮影終了後に、記録された動画像のフレームの中で「カチンコ」が閉じた瞬間の画像が撮影されているフレーム位置と、記録された音声の中で「カチンコ」が閉じた時の音が記録されている位置とを一致させてそれぞれの機材で再生を開始することにより、動画像と音声の同期を取ることができる。このように、画像を記録する機材では動画像の中にタイミングを取るための特定画像を記録し、音声を記録する機材ではその特定画像に起因する音を記録することで動画像と音声の同期を取っていた。
【０００３】
一方で、動画像中に特定画像を挿入する技術として、映像に特殊効果を与える目的で特定画像や特定音声を合成したり置換する方法が考えられている（例えば特許文献１参照）。
【先行技術文献】
【特許文献】
【０００４】
【特許文献１】特開平０５−３３６４８８号公報
【発明の概要】
【発明が解決しようとする課題】
【０００５】
ところが、「カチンコ」を用いて撮影するには様々な問題がある。例えば、シャッター速度が十分に速くない場合は「カチンコ」が閉じた瞬間が分かりにくい。また、動画像のフレームレートが低い場合は別機材で録音する音声との同期の誤差が大きくなる。
【０００６】
特に、「カチンコ」を持ち歩く必要があり、且つカメラとカチンコの両方を同時に操作する必要があり、１人での撮影は難しい。さらに、１人で操作する場合はカメラの近くで「カチンコ」を操作することになり、「カチンコ」と被写体との距離の差が大きいため「カチンコ」または被写体のどちらかがぼけて撮影されてしまうという問題がある。例えばオートフォーカスの場合は、一時的に「カチンコ」にフォーカスが合ってしまい、「カチンコ」を画角外に退けた直後は被写体にフォーカスが合うまでに時間が掛かるという問題がある。
【０００７】
また、ＭＰＥＧ規格などで動画像を撮影する場合、フレーム間相関を利用してＧＯＰ（Ｇｒｏｕｐ  Ｏｆ  Ｐｉｃｔｕｒｅ）と呼ばれる複数フレーム単位で動画像を圧縮して記録するので、「カチンコ」が閉じる位置が必ずしもＧＯＰ単位の先頭に位置するとは限らない。ところが、簡便な編集装置ではＧＯＰ単位の編集しか対応できない場合もあり、音声の再生開始位置と動画像の撮影開始位置のフレームとを正確に合わせることができないという問題がある。
【０００８】
本発明の目的は、動画撮影された画像と、対応する音声を精度良く同期させることができるカメラおよび動画撮影プログラムを提供することである。
【課題を解決するための手段】
【０００９】
本発明に係るカメラは、被写体像を撮像し、撮像信号を出力する撮像部と、記録開始指示に基づいて前記撮像部により出力された撮像信号を動画像として記憶媒体に記録させる動画記録制御部と、前記記録開始指示に基づいて第１識別音を発する音発生部と、前記第１識別音が発せられたタイミングを示す識別情報を前記動画像に関連付けて前記記憶媒体に記録させる識別情報記録制御部とを有することを特徴とする。
【００１０】
また、本発明に係るカメラは、被写体像を撮像し、撮像信号を出力する撮像部と、記録開始指示が与えられる時点を含む期間において、前記撮像部により出力された撮像信号を動画像として記憶媒体に記録させる動画記録制御部と、前記記録開始指示が与えられる時点よりも前に第１識別音を発する音発生部と、前記第１識別音が発せられたタイミングを示す識別情報を前記記憶媒体に記録させる識別情報記録制御部とを有することを特徴とする。
【００１１】
本発明に係る動画撮影プログラムは、被写体像を撮像し、撮像信号を出力する撮像処理と、記録開始指示に基づいて前記撮像処理により出力された撮像信号を動画像として記憶媒体に記録させる動画記録制御処理と、前記記録開始指示に基づいて第１識別音を発する音発生処理と、前記第１識別音が発せられたタイミングを示す識別情報を前記動画像に関連付けて前記記憶媒体に記録させる識別情報記録制御処理とをコンピュータに実行させることを特徴とする。
【００１２】
また、本発明に係る動画撮影プログラムは、被写体像を撮像し、撮像信号を出力する撮像処理と、記録開始指示が与えられる時点を含む期間において、前記撮像処理により出力された撮像信号を動画像として記憶媒体に記録させる動画記録制御処理と、前記記録開始指示が与えられる時点よりも前に第１識別音を発する音発生処理と、前記第１識別音が発せられたタイミングを示す識別情報を前記記憶媒体に記録させる識別情報記録制御処理とをコンピュータに実行させることを特徴とする。
【発明の効果】
【００１３】
本発明に係るカメラおよび動画撮影プログラムは、動画撮影された画像と、対応する音声を精度良く同期させることができる。
【図面の簡単な説明】
【００１４】
【図１】第１実施形態に係るカメラ１００の使用例を示す全体図である。
【図２】第１実施形態に係るカメラ１００の構成を示すブロック図である。
【図３】第１実施形態に係るカメラ１００の「同期動画撮影モード」の処理を示すフローチャートである。
【図４】同期画像の挿入と同期音の発生の様子を示す説明図である。
【図５】同期画像の一例を示す説明図である。
【図６】動きのある同期画像の一例を示す説明図である。
【図７】第２実施形態に係るカメラ１００の「同期動画撮影モード」の処理を示すフローチャートである。
【図８】第３実施形態に係るカメラ１００の「同期動画撮影モード」の処理を示すフローチャートである。
【図９】第４実施形態に係るカメラ１００ａの構成を示すブロック図である。
【図１０】第４実施形態に係るカメラ１００ａの「同期動画撮影モード」の処理を示すフローチャートである。
【図１１】第５実施形態におけるフレーム相関を用いた画像圧縮処理で動画像を撮影する場合の同期画像の挿入例を示す説明図である。
【発明を実施するための形態】
【００１５】
以下、図面を参照して本発明に係るカメラおよび動画撮影プログラムについて詳しく説明する。尚、以降で説明するカメラ１００は、本発明に係る動画撮影プログラムを含んでいる。
【００１６】
（第１実施形態）
図１は、撮影時に使用する機材を描いた図で、本実施形態に係るカメラ１００と、カメラ１００とは別機材の独立した録音機２００とを使用して撮影を行う。カメラ１００は、レンズ１０１で撮影した画像をメモリカード１０４に記録する。一方、録音機２００は、マイク２０１ａ，２０１ｂから入力する音をメモリカード２０２に記録する。そして撮影後に、メモリカード１０４に記録された動画像と、メモリカード２０２に記録された音声とをパソコン２５０などの編集機器で読み出して同期させるための編集を行う。尚、図１において、カメラ１００の各部については図２で説明する。
【００１７】
図２は、本実施形態に係るカメラ１００の構成を示すブロック図である。カメラ１００は、レンズ１０１と、撮像素子１０２と、制御部１０３と、メモリカード１０４と、表示部１０５と、操作部１０６と、電源１０７と、駆動部１０８と、補助光源１０９と、マイク１１０と、メモリ１１１と、スピーカ１１２と、測位部１１３と、計時部１１４とで構成される。
【００１８】
レンズ１０１は、ズームレンズやフォーカスレンズなどで構成され、ＡＦモータ１０８ａおよびズームモータ１０８ｂによってズーム位置やフォーカス位置を調整する。
【００１９】
撮像素子１０２は、ＣＣＤ型やＣＭＯＳ型の固体撮像素子で構成され、レンズ１０１を介して入射する被写体像を画像信号に変換して制御部１０３に出力する。尚、本実施形態では、撮像素子１０２から出力される画像信号はアナログの画像信号で、制御部１０３内部でデジタルの画像データにＡ／Ｄ変換されるものとするが、撮像素子１０２内部でＡ／Ｄ変換してデジタルの画像データを出力するようにしてもよい。
【００２０】
制御部１０３は、予め内部に記憶されたプログラムに従って動作するＣＰＵで構成され、そのプラグラムに沿ったカメラ１００全体の動作の制御、各種演算をするエンジンである。ここで、ＣＰＵが実行するプログラムを記憶媒体に記憶して、パソコンなど他のコンピュータにインストールすることにより、以降で説明する画像処理と同様の処理をコンピュータで実行することができる。
【００２１】
メモリカード１０４は、不揮発性のメモリなどで構成される着脱可能な記憶媒体で、制御部１０３が出力する撮影された画像データや音声データなどを記録する。
【００２２】
表示部１０５は、液晶表示デバイスなどで構成され、制御部１０３が出力する画像やメニュー画面を表示する。
【００２３】
操作部１０６は、電源ボタン１０６ａ，レリーズボタン１０６ｂ，モード選択ボタン１０６ｃ，ズームボタン１０６ｄ（ワイド）およびズームボタン１０６ｅ（テレ）などの操作部材で構成され、操作情報は制御部１０３に入力される。尚、レリーズボタン１０６ｂは、スイッチＳ１とスイッチＳ２とで構成され、レリーズボタン１０６ｂを半押しするとスイッチＳ１が閉じ、全押しするとスイッチＳ２が閉じる仕組みになっている。
【００２４】
電源１０７は、バッテリやＯＮ／ＯＦＦスイッチなどで構成され、電源がＯＦＦの状態で電源ボタン１０６ａが押下されるとカメラ１００の各部へ電源の供給を行い、電源がＯＮの状態で電源ボタン１０６ｂが押下されるとカメラ１００の各部への電源供給を停止する。
【００２５】
駆動部１０８は、制御部１０３の指令に応じてＡＦモータ１０８ａおよびズームモータ１０８ｂを駆動し、レンズ１０１のズームレンズやフォーカスレンズの位置を調整する。
【００２６】
補助光源１０９は、キセノンランプなどで構成され、被写体の露出が不足している場合や撮影者の設定により、被写体に光を照射するための光源で、制御部１０３によって照射タイミングや照射量が制御される。
【００２７】
マイク１１０は、外部音を取り込むためのマイクロホンで、制御部１０３に音声信号を出力する。尚、本実施形態では、マイク１１０から出力される音声信号はアナログの音声信号で、制御部１０３内部でデジタルの音声データにＡ／Ｄ変換されるものとするが、マイク１１０内部でＡ／Ｄ変換されたデジタルの音声データであってもよい。
【００２８】
メモリ１１１は、カメラ１００に内蔵されるメモリで、不揮発性のメモリなどで構成される。例えば撮影モードの設定値や撮影画像の解像度など、制御部１０３が動作するためのパラメータなどが記憶される。特に本実施形態に係るカメラ１００の場合は、カメラ１００で撮影される動画像と、別機材で録音される音とを同期させる時刻を示す（動画像中の位置を示す）特定の同期画像に対応する同期用画像情報および同期音に対応する同期用音情報の少なくとも一方の情報が予め記憶されている。
【００２９】
スピーカ１１２は、制御部１０３が出力するアナログの音声信号を空気振動に変換するトランスデューサである。尚、制御部１０３が出力するアナログの音声信号は、制御部１０３内部で同期音情報をＤ／Ａ変換した音声信号で、スピーカ１１２は入力される音声信号に対応する空気振動に変換する。
【００３０】
測位部１１３は、ＧＰＳ（Ｇｌｏｂａｌ  Ｐｏｓｉｔｉｏｎｉｎｇ  Ｓｙｓｔｅｍ）の衛星からの電波を受信し、受信した電波に応じて地球上におけるカメラ１００の地理的位置（経度・緯度）を演算し、演算した緯度・経度などの位置情報を制御部１０３に出力する。
【００３１】
計時部１１４は、時計ＩＣなどで構成され、日時情報を制御部１０３に出力する。
【００３２】
次に、制御部１０３の構成について説明する。制御部１０３は、画像処理部１５１と、記録処理部１５２と、同期処理部１５３と、音出力部１５４と、音入力部１５５とで構成される。
【００３３】
画像処理部１５１は、撮像素子１０２から入力されたアナログ画像信号をＡ／Ｄ変換して対応するデジタルの画像データを出力し、ホワイトバランス処理，色補間処理，ガンマ変換処理などを行う。また、静止画撮影モードの場合はＪＰＥＧ圧縮方式で画像圧縮処理を行い、動画撮影モード（後述する通常動画撮影モードおよび同期動画撮影モードを含む）の場合はＭ−ＪＰＥＧ（Ｍｏｔｉｏｎ−ＪＰＥＧ）圧縮方式やＭＰＥＧ圧縮方式で画像処理を行う。尚、画像処理部１５１は撮像素子１０２が出力するアナログ画像信号をＡ／Ｄ変換し対応するデジタルの画像データを取り込み、様々な画像処理を行うための画像バッファを有するものとする。
【００３４】
記録処理部１５２は、画像処理部１５１が処理した後の静止画像情報や動画像情報をメモリカード１０４に記憶する。尚、モード選択ボタン１０６ｃで「通常動画撮影モード（内蔵マイク撮影モード）」が選択されている場合は、内蔵のマイク１１０で外部音を取得して音入力部１５５でＡ／Ｄ変換された音声データを動画像データと共にメモリカード１０４に記憶する。特に本実施形態に係るカメラ１００では、モード選択ボタン１０６ｃで以下の３つのモードを選択する。尚、これらのモード判定は制御部１０３が行い、制御部１０３は、操作部１０６から入力するモード選択ボタン１０６ｃの操作情報を判定してそれぞれのモードに応じた処理を実行する。
（１）静止画撮影モード
（２）通常動画撮影モード
（３）同期動画撮影モード
尚、（１）および（２）は、一般的なカメラと同様に静止画撮影または動画撮影を行う撮影モードである。特に本実施形態では、「同期動画撮影モード（別機材で録音するモード）」が選択されている場合、同期処理部１５３は、撮影されデジタルデータに変換された動画像データに所定のタイミングで同期画像データを挿入し、メモリカード１０４に記憶する。或いは、同期画像データではなく同期音データをメモリカード１０４に記憶する。
【００３５】
同期処理部１５３は、「同期動画撮影モード」が選択されている場合に、レリーズボタン１０６ｂの操作に応じて、撮影開始時にメモリ１１１に予め記憶されている同期画像データを動画像データに挿入したり、同期音データを撮影する動画像の音声データとしてメモリカード１０４に記録する。ここで、同期画像データおよび同期音データの少なくとも一方がメモリカード１０４に記憶されればよい。
【００３６】
音出力部１５４は、メモリ１１１から読み出した同期音データを動画像データに同期画像データを挿入タイミングに合わせてスピーカ１１２から出力する。尚、音出力部１５４は、Ｄ／Ａ変換回路や出力アンプを含むものとする。尚、出力アンプは、スピーカ１１２を駆動して出力する音の大きさを調整するためのアンプである。また、メモリ１１１に複数の種類の同期音データを記憶しておき、例えば第１同期音をスピーカ１１２から出力し、第１同期音とは異なる第２同期音を同期処理部１５３がメモリカード１０４に記録するようにしても構わない。
【００３７】
音入力部１５５は、マイク１１０からアナログ信号で入力する外部音をデジタルの音声データにＡ／Ｄ変換し、ＷＡＶ方式やＭＰＥＧ圧縮方式などによる音声処理を行い、記録処理部１５２に出力する。尚、音入力部１５５はプリアンプやＡ／Ｄ変換回路を含むものとする。尚、プリアンプは、入力するアナログの音声信号をＡ／Ｄ変換に適した大きさの信号にするためのアンプである。
【００３８】
以上説明したように、本実施形態に係るカメラ１００は構成される。次に、図１で説明したように、カメラ１００で動画像を撮影し、且つ録音機２００で例えば高音質なステレオ録音を行う場合のカメラ１００側の処理について図３のフローチャートを用いて説明する。尚、図３のフローチャートは、制御部１０３によって実行される処理である。特に制御部１０３は、先に説明したように、予め内部に記憶されたプログラムに従って動作するＣＰＵで構成されるので、図３のフローチャートは、請求項に記載のコンピュータで実行可能なプログラムに相当する処理である。
【００３９】
尚、カメラ１００は、電源ボタン１０６ａがＯＮされて起動済みの状態にあり、且つモード選択ボタン１０６ｃで「同期動画撮影モード」が選択され、撮像素子１０２で撮影される画像がスルー画像として表示部１０５に表示されいる状態にあるものとする。撮影者は、表示部１０５に表示される被写体画像を確認しながら撮影構図などを決めて動画撮影を開始することができる。尚、レリーズボタン１０６ｂは、二段階スイッチになっており、半押しすればスイッチＳ１が閉じて制御部１０３はＡＦ（オートフォーカス）動作を開始し、さらに全押しすればスイッチＳ２が閉じて（Ｓ２：ＯＮ）、その後、レリーズボタン１０６ｂが離されスイッチＳ２が開く（Ｓ２：ＯＦＦ）と、制御部１０３は動画像の記録を開始させる。ここで、スイッチＳ２を閉じその後開く操作（Ｓ２をＯＮからＯＦＦとする操作）は記録開始指示に対応する。
【００４０】
以下、図３のフローチャートに従って順番に説明する。尚、図３のフローチャートは「同期動画撮影モード」における処理の流れを示している。
【００４１】
（ステップＳ１０１）制御部１０３は、撮影者がレリーズボタン１０６ｂを半押しされたか否かを判別し（Ｓ１：ＯＮ）、半押ししていない場合は半押しされるまで待機する。
【００４２】
（ステップＳ１０２）制御部１０３は、常時ＡＦ動作（フォーカスのズレを逐次修正してフォーカスを合わせる動作）を開始する。尚、常時ＡＦ動作は所定のフォーカスエリアの被写体に遂次ピントを合わせるためのフォーカス調整で、レリーズボタン１０６ｂを半押し中に常時ＡＦ動作を行う。
【００４３】
ここで、仮に従来のように「カチンコ」の実物を撮影する場合は、この時点で「カチンコ」がカメラ１００とフォーカスエリア内の主要被写体との間に位置し、「カチンコ」がフォーカスエリア内に位置する場合は、「カチンコ」をピント合わせの対象物としてフォーカスを合わせてしまうため、「カチンコ」を画面から外した時に主要被写体にフォーカスが合うまでのタイムラグが生じてしまうという問題が生じる。しかしながら、本実施形態では実物の「カチンコ」使用しないので主要被写体に常にフォーカスを合わせることができる。
【００４４】
（ステップＳ１０３）制御部１０３は、撮影者がレリーズボタン１０６ｂを全押ししたか否かを判別し（Ｓ２：ＯＮ）、全押しした場合はステップＳ１０６に進み、全押しされていない場合はステップＳ１０４に進む。
【００４５】
（ステップＳ１０４）制御部１０３は、撮影者がレリーズボタン１０６ｂを半押ししているか否かを判別し（Ｓ１：ＯＮ）、半押ししていない場合はステップＳ１０５に進み、半押しされている場合はステップＳ１０３に戻って全押しされるまで待機する。
【００４６】
（ステップＳ１０５）制御部１０３は、常時ＡＦ動作を終了する。
【００４７】
（ステップＳ１０６）制御部１０３は、撮影者がレリーズボタン１０６ｂを全押しした後、レリーズボタン１０６ｂから指を離したか否かを判別し（Ｓ２：ＯＮからＯＦＦとされたか否かを判別し）、全押し中ではなくなった場合はステップＳ１０７に進み、全押し中の場合はステップＳ１０６で待機する。尚、ここでは全押し後にレリーズボタン１０６ｂから指を離さずに半押し状態になることはないものとする。
【００４８】
（ステップＳ１０７）制御部１０３の画像処理部１５１は、撮像素子１０２から入力されるアナログの動画像信号をデジタルの動画像データに変換し、所定の画像処理（ホワイトバランス処理など）を行った後、処理後の動画像データを同期処理部１５３に出力する。そして、同期処理部１５３は、動画像データをフレーム順に記録処理部１５２を介してメモリカード１０４に記録する。
【００４９】
ここで、ステップＳ１０７時点でカメラ１００でメモリカード１０４に記録される動画像データと、録音機２００でメモリカード２０２に記憶される音声データと、カメラ１００のスピーカ１１２から発せられる同期音との時間的な関係を図４に示す。図４は、紙面の左側から右側に向けて時間軸を取り、図３のステップＳ１０７が実行された時点以降の様子を描いた図である。ステップＳ１０７からＳ１０８が実行されるまでの区間は、撮像素子１０２で撮影されデジタルデータに変換された動画像データのフレーム３０１およびフレーム３０２の１フレームを構成する動画像データがフレーム順に記録画像としてメモリカード１０４に記憶される。尚、先に説明したように、録音機２００によるメモリカード２０２への記録はフレーム３０１の撮影時点から開始されているものとする。また、フレーム３０１およびフレーム３０２の撮影時は、スピーカ１１２からは何も出力されておらず無音状態である。
【００５０】
（ステップＳ１０８）制御部１０３の同期処理部１５３は、撮像素子１０２が撮影する画像フレームの代わりにメモリ１１１に予め記憶されている同期画像データを挿入して記録処理部１５２に出力し、メモリカード１０４に動画像の画像フレームとして記録する。同時に、同期処理部１５３は、メモリ１１１から読み出した同期音２１０のデジタルデータを音出力部１５４でアナログ信号にＤ／Ａ変換してスピーカ１１２から同期音２１０を発生する。尚、ステップＳ１０２でＡＦ動作を開始しているので、この時点で被写体像に対するフォーカス調整は完了している。従って、従来のように、同期画像として用いる実物の「カチンコ」と主要被写体のいずれかにしかフォーカスが合わないという問題を解消できる。
【００５１】
例えば図４の場合、ステップＳ１０８の時点で撮像素子１０２から入力して画像処理部１５１でデジタルデータに変換された画像フレーム３０３を同期画像２０１を含む画像フレーム３０３ａに置き換える。同時に、同期処理部１５３は、メモリ１１１から同期音データを読み出して音出力部１５４でアナログの同期音の音声信号に変換後、スピーカ１１２に出力し、図４に示すように、スピーカ１１２から同期音２１０が発せられる。これにより、スピーカ１１２から発せられた同期音２１０は、近くの録音機２００のステレオマイク２０１ａおよび２０１ｂからアナログの音声信号で入力され、録音機２００内部でデジタルの音声データに変換後、メモリカード２０２に記録される。例えば図４の場合は、同期画像２０１が動画像のフレームとしてメモリカード１０４に記憶されると同時にスピーカ１１２から発せられる同期音２１０が録音機２００で外部音２１１と共に記録される。具体的には、画像フレーム３０３を同期画像２０１に置き換えたタイミングで、同期処理部１５３は同期音２１０の音声データをメモリ１１１から読み出して音出力部１５４でアナログの音声信号に変換してスピーカ１１２から出力する。そして、スピーカ１１２から出力された同期音１１２は空気振動で録音機２００のステレオマイク２０１ａおよび２０１ｂからアナログの音声信号として入力され、録音機２００内部でデジタルの音声データに変換されてメモリカード２０２に記憶される。これにより、再生時に、録音機２００のメモリカード２０２に録音された同期音２１０データの再生位置と、カメラ１００のメモリカード１０４に記録された同期画像２０１データの再生位置とを容易に同期させることができる。
【００５２】
（ステップＳ１０９）制御部１０３の画像処理部１５１は、再び撮像素子１０２から入力して画像処理部１５１でデジタルデータに変換された動画像データに所定の画像処理を行い、処理後の動画像データを同期処理部１５３に出力する。そして、同期処理部１５３は、動画像データをフレーム順に記録処理部１５２を介してメモリカード１０４に記録する。
【００５３】
例えば図４の場合、ステップＳ１０９の時点で撮像素子１０２から入力する画像フレーム３０４および３０５は、同期画像２０１のフレームの後ろの画像フレームとしてメモリカード１０４に記録される。尚、この時点で、同期処理部１５３は、スピーカ１１２からの同期音２１０の音声信号の出力を停止して無音状態にあるので、録音機２００でメモリカード２０２に記録される音は外部音２１１の音声データだけである。以降、撮影が継続される。
【００５４】
（ステップＳ１１０）制御部１０３は、撮影者がレリーズボタン１０６ｂを全押ししたか否かを判別し（Ｓ２：ＯＮ）、全押しされた場合はステップＳ１１１に進み、全押しされるまで動画像の撮影を継続する。
【００５５】
（ステップＳ１１１）制御部１０３は、撮像素子１０２から入力して画像処理部１５１でデジタルデータに変換された動画像データのメモリカード１０４への記録を終了する。
【００５６】
（ステップＳ１１２）制御部１０３は、常時ＡＦ動作を終了する。
【００５７】
尚、カメラ１００での動画像の撮影の終了に合わせて適宜、撮影者は、録音機２００でメモリカード２０２への外部音の記録も終了させるものとする。また、動画像の撮影記録期間を含み、それよりも長めに録音しておくものとする。
【００５８】
このようにして、図４に示すような同期画像２０１のフレーム３０３ａが挿入された動画像データがカメラ１００のメモリカード１０４に記録されると共に、カメラ１００のスピーカ１１２から発せられるアナログの同期音が録音機２００のステレオマイク２０１ａおよび２０１ｂでアナログの音声信号として入力され、Ａ／Ｄ変換された同期音データがメモリカード２０２に記録される。
【００５９】
これにより、撮影後に、メモリカード１０４とメモリカード２０２とをパソコンなどの動画編集ソフトウェアに読み込ませて、メモリカード１０４に記録されているフレーム３０３ａの時間位置と、メモリカード２０２に記録されている同期音データが記録された音２１１の位置とを合わせるだけで容易にフレーム３０４以降の動画像データと録音機２００で高音質に録音された音声データとを同期させることができる。尚、同期音２１０は、識別が容易な１ｋＨｚの単一トーンや電話機のプッシュボタン音のようなデュアルトーンを用いる。或いは、識別が容易で且つ違和感が少ないメロディーを用いても構わない。
【００６０】
例えばパソコンで動画編集する場合、カメラ１００で撮影済みの動画像フレームをメモリカード１０４から読み出してモニタ画面に時系列順に表示し、同じ時間軸上に、録音機２００で録音済みの音声データをメモリカード２０２から読み出して音声信号の波形を時間軸上に表示する。この場合、モニタ画面上には、例えば図４で説明したメモリカード１０４の記録画像と、メモリカード２０２の記録音の波形とが表示される。そして、例えばモニタ画面上の同期音２１０の時間軸上の位置と、同期画像２０１の時間軸上の位置とがずれている場合は、例えばパソコンのマウスで同期画像２０１の画像をドラッグして同期音２１０の位置に合わせる操作を行うことにより、同期合わせを行うことができる。そして、例えばモニタ画面上に再生確認ボタンを表示しておき、カーソルで再生確認ボタンを押下して動画像と再生音の確認をできるようにしても構わない。この場合、動画編集ソフトウェアは、モニタ画面上の時間軸に合わせてメモリカード１０４に記憶された動画像データを再生してモニタ画面に表示し、同じ時間軸でメモリカード２０２に記憶された音声データをアナログの音声信号に変換してパソコンのスピーカから出力する。
【００６１】
このようにして、パソコン上で動画編集ソフトウェアを実行させて、マウスやキーボードなどのパソコンに備えられた操作部材、モニタ、スピーカ等を使って、同期合わせを行うことができる。
【００６２】
ここで、同期画像の一例を図５に示す。図５（ａ）は、図４に示した映画などで用いられている「カチンコ」に似せた同期画像２０１の一例で、撮影日時と撮影場所の地理的位置（緯度・経度）が記載されている。尚、撮影日時は、制御部１０３が計時部１１４から入力する日時情報を用い、レリーズボタン１０６ｂの全押しが離されたタイミング（Ｓ２がＯＮからＯＦＦとされたタイミング）で計時部１１４から入力した日時情報を同期画像２０１に表示するのが好ましい。地図情報がメモリ１１１やメモリカード１０４に予め記憶されている場合は、測位部１１３が出力する緯度・経度情報を地名などの情報に変換して図５（ｂ）のように同期画像２０１ｂ内に表示するようにしても構わない。これにより、撮影日時や撮影場所の特定を容易に行うことができる。
【００６３】
或いは、同期画像データを静止画データではなく動画像データのように複数のフレームで構成し、動きを持たせても構わない。例えば図６に示すように、「カチンコ」に似せた画像で音を打つためのバーが閉じる様子をアニメーションで表すようにしても構わない。図６の場合は、同期画像データはフレーム３１０から３１４の５つのフレームで構成され、最後のフレーム３１４の時間位置で同期音２１０がスピーカ１１２から出力される。このように、アニメーションで表示することにより、編集時に画面上で動画像を再生する際の視認性を高めることができる。
【００６４】
（変形例１）
上記の第１実施形態では、同期画像２０１の画像データをフレーム３０３ａとして挿入する場合について説明したが、撮影時はフレーム３０３をフレーム順にメモリカード１０４に記録するようにして、同期音２１０をスピーカ１１２から発する時点に近接する動画像フレームを特定可能な情報（例えばフレーム番号やタイムコードなどの情報）を動画像データに関連付けて記録しても構わない。例えば、ファイルのヘッダ情報などに記憶するようにしても構わない。また、例えば、同期音２１０をスピーカ１１２から発する時点の動画像フレームを特定可能な情報（例えばフレーム番号やタイムコードなどの情報）を動画ファイルとは別のファイル内にどの動画ファイルに対応する情報かを示す情報とともに記憶させても良い。例えば、図３のフローチャートにおいて、ステップＳ１０８の処理をステップＳ１０８ａのように実行する。また、変形例１の場合は、同期画像の挿入を行わず、動画像の撮影はステップＳ１０７の時点から行われているのでステップＳ１０９の処理は不要である。
【００６５】
（ステップＳ１０８ａ）制御部１０３の同期処理部１５３は、撮像素子１０２が撮影する画像フレームの情報を記録処理部１５２を介してメモリカード１０４に記録する。同時に、同期処理部１５３は、スピーカ１１２から同期音２１０を発生する。
【００６６】
この場合、制御部１０３は、撮影後にメモリカード１０４に記録されている動画像を読み出して、同期音２１０をスピーカ１１２から発した時点の動画像のフレーム（先の例ではフレーム３０３）を特定し、同期画像２０１に置き換える処理を行う。これにより、撮影時の制御部１０３の処理負荷を減らすことができる。
【００６７】
（第２実施形態）
第１実施形態および変形例１ではメモリカード１０４に記録される動画像データは音声データ無しでも構わなかったが、第２実施形態では録音機２００での音声記録の失敗に備えて、カメラ１００でも音声付きで動画像の撮影を行い、音声データと動画像データとをメモリカード１０４に記録する。尚、第２実施形態に係るカメラ１００の構成は、図１および図２で説明したものと同じである。
【００６８】
以下、第２実施形態に係るカメラ１００の「同期動画撮影モード」における処理の流れについて、図７のフローチャートに従って順番に説明する。尚、図７において、図３のフローチャートと同じ処理ステップ番号は同じものを示す。図３と異なる処理はステップＳ２０１，Ｓ２０２，Ｓ２０３およびＳ２０４である。
【００６９】
ステップＳ１０１からステップＳ１０７までの処理は同じである。そして、ステップＳ１０８の処理を実行する前に次のステップＳ２０１の処理を実行する。
【００７０】
（ステップＳ２０１）制御部１０３の同期処理部１５３は、所定時間が経過するまで待機する。図７の例では０．１秒間待機した後、次のステップＳ２０２の処理へ進む。尚、制御部１０３は、計時部１１４から入力する日時情報を用いて待機時間を計測する。
【００７１】
ここで、同期処理部１５３は、待機中の音入力部１５５のプリアンプのゲインを下げるか０に設定する。或いは、音入力部１５５が出力する外部音の音声データを記録処理部１５３に出力する際に無音データに置き換える。例えば、音声データが最上位ビットを符号ビットとする８ビット階調で記録する場合は、無音データを１６進数で「００Ｈ」（Ｈは１６進数であることを示す）のように表すことができるので、同期処理部１５３が音入力部１５５から入力する外部音のデジタルの音声データが例えば「４ＢＨ」や「Ｆ６Ｈ」などのデータ値であっても強制的に「００Ｈ」のデータ値に置き換えて記録処理部１５３に出力する。
【００７２】
そして、図３のステップＳ１０８の代わりにステップＳ２０２を実行する。
【００７３】
（ステップＳ２０２）制御部１０３の同期処理部１５３は、撮像素子１０２が撮影する画像フレームの代わりにメモリ１１１に予め記憶されている同期画像を挿入して記録処理部１５２に出力し、メモリカード１０４に動画像の画像フレームとして記録する。同時に、同期処理部１５３は、スピーカ１１２から同期音２１０を発生する。これらの処理は図３のステップＳ１０８と同じであるが、本処理ステップでは、さらにメモリ１１１から読み出した同期音（またはこの同期音とは異なる第２同期音）をメモリカード１０４に記録する。
【００７４】
そして、ステップＳ１０９の処理を実行後、ステップＳ１１０の処理を実行する前に次のステップＳ２０３およびＳ２０４の処理を実行する。
【００７５】
（ステップＳ２０３）制御部１０３の同期処理部１５３は、所定時間が経過するまで待機する。図７の例では０．０５秒間待機した後、次のステップＳ２０４の処理へ進む。
【００７６】
ここで、同期処理部１５３は、待機中の音入力部１５５のプリアンプのゲインを下げるか０に設定する。或いは、音入力部１５５が出力する外部音の音声データを記録処理部１５３に出力する際に無音データに置き換える。
【００７７】
（ステップＳ２０４）制御部１０３の記録処理部１５２は、音入力部１５５を介してマイク１１０から入力する外部音の録音を開始する。例えば、同期処理部１５３は、音入力部１５５のプリアンプのゲインを正常に戻す。或いは、先に説明したように、無音データに強制的に置き換える処理を行っていた場合は、無音データへの置き換えを中止して、音入力部１５５が出力する外部音の音声データを記録処理部１５３に出力する。
【００７８】
以降、ステップＳ１１０でレリーズボタン１０６ｂが全押しされるまで、記録処理部１５２は、撮像素子１０３から入力して画像処理部１５１でデジタルデータに変換された動画像データと、マイク１１０から入力する音声データとをメモリカード１０４に記録する。尚、動画像と音声は、同一のファイルで動画音声情報としてメモリカード１０４に記録してもよいし、動画像と音声とを別々のファイルとしてメモリカード１０４に記録してもよい。この場合は、動画像ファイルと音声ファイルとを関連付け易いように、ファイル名に同じ記号を付加するなどの工夫をするのが好ましい。
【００７９】
尚、本実施形態においても、第１実施形態と同様に録音機２００でもカメラ１００で動画像の撮影中の外部音の録音を行っているので、図７のステップＳ１０８でスピーカ１１２から発生する同期音が録音機２００のメモリカード２０２に記録される。
【００８０】
これにより、撮影後に、メモリカード１０４とメモリカード２０２とをパソコンなどの動画編集ソフトウェアに読み込ませて、メモリカード１０４に記録されている同期画像の位置と、メモリカード２０２に記録されている同期音が記録された位置とを合わせるだけで容易にカメラ１００の動画像と録音機２００で高音質に録音された音とを同期させることができる。
【００８１】
また、本実施形態では、カメラ１００で記録される音声データに同期音が記録されるので、撮影後にパソコンなどでメモリカード１０４に記録されている動画像を読み出す際に、動画像に付加されている音声データも読み出し、同期音データが記録されている時間位置と、録音機２００でメモリカード２０２に録音された同期音の時間位置とを合わせることにより、別の機材で記録された動画像と音の同期を精度良く合わせることができる。
【００８２】
尚、この場合は、ステップＳ２０２で動画像のフレームを同期画像に置き換える処理を行わなくても、同期音だけでカメラ１００でメモリカード１０４に記録される動画像と、録音機２００でメモリカード２０２に記録される音との同期を合わせることができる。
【００８３】
特に、本実施形態では、同期音を記録する前後の音声データを所定時間だけ無音にしているので、撮影後の編集時に同期音の検出を容易に行うことができる。
【００８４】
（第３実施形態）
第１実施形態および第２実施形態では、同期画像データが挿入されるまでの時間に不要な動画像データがメモリカード１０４に記録されてしまうが、本実施形態ではプリレック機能を用いて、不要な動画像データが記録されないようになっている。尚、第３実施形態に係るカメラ１００の構成は、図１および図２で説明したものと同じである。
【００８５】
プリレック機能とは、レリーズボタン１０６ｂが押下される前から所定時間（例えば５秒間など）の動画像をバッファに繰り返し記録し、レリーズボタン１０６ｂが押下された時に、レリーズボタン１０６ｂが押下される数秒前（例えば２秒前）からの動画像を撮影画像としてメモリカード１０４に記録する機能である。つまり、最新の５秒間の動画像データが常にバッファに取り込まれている。例えば図２のカメラ１００の場合は、制御部１０３の画像処理部１５１の内部にプリレック用のバッファを設けて、所定時間の動画像データを繰り返し記録する。或いは、記録処理部１５２の内部にプリレック用のバッファを設けても構わない。尚、通常の撮影においても画像処理用のバッファを有しているので、これらのバッファを大き目の容量にすることで対応可能である。
【００８６】
特に、本実施形態に係るカメラ１００は、プリレック期間に先の実施形態で説明したような同期音をスピーカ１１２から定期的（例えば１秒毎）に発生させ、同時に動画像データのフレームに置き換えて同期画像データをバッファに記録する。これにより、レリーズボタン１０６ｂが押下される直前の同期画像（つまり最後に記録された同期画像）以降の動画像データをメモリカード１０４に記録することにより、同期画像より前の不要な動画像撮影を行う必要がなくなり、メモリカード１０４の記憶容量を削減することができる。また、レリーズボタン１０６ｂが押下される前から記録を行っているので、押下されてから実際に動画像データの記録を開始するまでのタイムラグを前述の実施形態の場合より少なくすることができ、同期画像データに連続して被写体の画像データの記録を開始することができる。例えば、前述の実施形態では、レリーズボタン１０６ｂのＳ２（全押し）を離した後に、「カチンコ」の同期画像データを挿入し、実際の主要被写体の撮影画像の記録に移行するようになっていたが、本実施形態では、「カチンコ」の同期画像データを挿入するタイミングをレリーズボタン１０６ｂのＳ２（全押し）を離す直前とすることができ、Ｓ２を離した直後から実際の主要被写体の撮影記録を開始できるので、タイムラグが少なくなる。
【００８７】
このように、本実施形態に係るカメラ１００は、レリーズボタン１０６ｂが与えられる時点よりも前のプリレック期間に、同期処理部１５３がスピーカ１１２から同期音２１０を発する点が先の実施形態とは異なる。
【００８８】
以下、第３実施形態に係るカメラ１００のプリレック機能を有する場合の「同期動画撮影モード」における処理の流れについて、図８のフローチャートに従って順番に説明する。
【００８９】
（ステップＳ３０１）制御部１０３は、ステップＳ１０２と同様に、常時ＡＦ動作を開始する。
【００９０】
（ステップＳ３０２）制御部１０３の画像処理部１５１は、ステップＳ１０７と同様に、動画像の記録を開始するが、プリレック部分なのでメモリカード１０４ではなく先に説明したプリレック用のバッファへの取り込みを行う。
【００９１】
（ステップＳ３０３）制御部１０３の同期処理部１５３は、ステップＳ１０８と同様に、撮像素子１０２が撮影する画像フレームの代わりにメモリ１１１に予め記憶されている同期画像データを挿入して、プリレック用のバッファに動画像の画像フレームとして記録する。同時に、同期処理部１５３は、スピーカ１１２から同期音２１０を発生する。尚、同期音２１０は、ブザー音やチャイム音などの電子音でもよいし、周囲の人にわかり易いように「スタート」や「開始」など人間の音声でもよい。
【００９２】
（ステップＳ３０４）制御部１０３の同期処理部１５３は、所定時間（ここでは１秒）が経過するまで待機する。尚、制御部１０３は、内部に時計機能を有する。
【００９３】
（ステップＳ３０５）制御部１０３は、撮影者がレリーズボタン１０６ｂを全押ししているか否かを判別し（Ｓ２：ＯＮ）、全押しされた場合はステップＳ３０６に進み、全押ししていない場合はステップＳ３０３に戻ってプリレック動作を継続する。
【００９４】
（ステップＳ３０６）制御部１０３の記録処理部１５２は、プリレック用のバッファに記録された動画像データの最後の同期画像データ以降の画像フレームを撮影した動画像データとしてメモリカード１０４への記録を開始する。同時に、録音機２００での録音が失敗した場合に備えて、カメラ１００に内蔵のマイク１１０から入力するアナログの音声信号を音入力部１５５でＡ／Ｄ変換した音声データを動画像データと共にメモリカード１０４に記録する。
【００９５】
（ステップＳ３０７）制御部１０３は、ステップＳ１１０と同様に、撮影者がレリーズボタン１０６ｂを全押ししたか否かを判別し（Ｓ２：ＯＮ）、全押しされた場合はステップＳ３０８に進み、全押しされるまで動画像の撮影を継続する。
【００９６】
（ステップＳ３０８）制御部１０３は、ステップＳ１１１と同様に、撮像素子１０２から入力して画像処理部１５１でデジタルデータに変換された動画像データのメモリカード１０４への記録を終了する。
【００９７】
（ステップＳ３０９）制御部１０３は、常時ＡＦ動作を終了する。
【００９８】
尚、カメラ１００での動画像撮影の終了に合わせて適宜、撮影者は、録音機２００によるメモリカード２０２への外部音データの記録も終了させるものとする。
【００９９】
このようにして、図４に示すような同期画像２０１のフレーム３０３ａが挿入された動画像データがカメラ１００のメモリカード１０４に記録されると共に、カメラ１００のスピーカ１１２から発せられるアナログの同期音が録音機２００のステレオマイク２０１ａおよび２０１ｂで入力されＡ／Ｄ変換された音声データがメモリカード２０２に記録される。特に、本実施形態では、図４の同期画像２０１に置換されたフレーム３０３ａより前のフレーム３０１および３０２はメモリカード１０４に記録されないので、メモリカード１０４の記憶容量を有効に利用することができる。また、プリレック機能によってレリーズボタン１０６ｂが押下されてから実際に動画像データの記録を開始するまでのタイムラグを少なくすることができ、同期画像データに連続して被写体の画像データの記録を開始することができる。
【０１００】
尚、プリレック機能が無いカメラでも、実際に撮像素子１０２で被写体を撮影した画像データではなく、例えばレリーズボタン１０６ｂの押下前からダミー画像データを記録するようにしてダミー画像データの中に周期的に同期画像データを挿入すると共に同期音をスピーカーから発生するようにしてもよい。
【０１０１】
また、周期的に発生する同期音は、識別し易いように交互に音色を変えても構わない。
【０１０２】
さらに、本実施形態においても、第１実施形態および第２実施形態と同様に、撮影後に、メモリカード１０４とメモリカード２０２とをパソコンなどの動画編集ソフトウェアに読み込ませて、メモリカード１０４に記録されているフレーム３０３ａの時間位置と、メモリカード２０２に記録されている同期音データが記録された音２１１の位置とを合わせるだけで容易にフレーム３０４以降の動画像データと録音機２００で高音質に録音された音声データとを同期させることができる。
【０１０３】
（第４実施形態）
先に説明した各実施形態では、カメラ１００のスピーカ１１２から発生させる同期音の音圧については詳細に説明しなかったが、カメラ１００や録音機２００の周囲の雑音が大きい場合には、録音機２００のマイク２０１ａおよび２０１ｂから取り込まれてメモリカード２０２に記録される同期音データが雑音に埋もれて判別しにくくなる可能性がある。そこで、本実施形態では、周囲の雑音の音圧を計測して雑音の音圧に応じてスピーカ１１２から発生させるアナログの同期音の音圧を変化するようになっている。例えば、雑音の音圧が小さい場合はスピーカ１１２から発生させるアナログの同期音の音圧も小さくし、雑音の音圧が大きい場合はスピーカ１１２から発生させるアナログの同期音の音圧も大きくする。
【０１０４】
図９は、本実施形態に係るカメラ１００ａの構成を示すブロック図である。尚、図２のカメラ１００と同符号のものは同じものを示す。図９では、図２の構成に音圧制御部１５６が追加されている。
【０１０５】
音圧制御部１５６は、マイク１１０から入力するアナログの外部音を音入力部１５５でＡ／Ｄ変換した外部音データの音圧を計測する。そして、計測した音圧に応じてスピーカ１１２から発生させるアナログの同期音の音圧を変化させる。尚、同期音を発生していない時に外部音の音圧を測定するものとするが、同期音を発生中に外部音の音圧を測定する場合は、予め同期音の周波数帯域を求めておき、マイク１１０から入力する音声信号から同期音の周波数帯域を除去するフィルタリングを行うようにしても構わない。尚、フィルタリングは、アナログの音声信号で行ってもよいし、デジタルの音声データに対してデジタル処理で行ってもよい。
【０１０６】
そして、音圧制御部１５６は、マイク１１０から入力して音入力部１５５でＡ／Ｄ変換された外部音データの音圧が所定値以上か未満かによってスピーカ１１２から発生させる同期音の音圧を二段階に変化させる。或いは、複数の所定値を設定して多段階に変化させても構わないし、マイク１１０から入力して音入力部１５５でＡ／Ｄ変換された外部音データの大きさに比例して無段階にスピーカ１１２から発生させる同期音の音圧を変化させても構わない。尚、音圧の調整は、例えば音出力部１５４のアンプのゲインを可変することによって実現できる。
【０１０７】
これにより、外部音が大きいときは同期音も大きくなるので、録音機２００のメモリカード２０２に記録された音声から同期音を容易に識別することができる。特に、外部音が小さいときは同期音も小さくなるので、博物館など静かな環境の中で撮影する場合でも周囲の人に迷惑を掛けることなく撮影できる。
【０１０８】
尚、外部音の音圧に応じて同期音の音色やメロディーなどを変えるようにしても構わない。例えば外部音が大きい場合は衝撃音などわかり易い音を同期音として用い、外部音が小さい場合はチャイム音など環境に違和感を与えない音を同期音として用いてもよい。
【０１０９】
以下、第４実施形態に係るカメラ１００ａの「同期動画撮影モード」における処理の流れについて、図１０のフローチャートに従って順番に説明する。尚、図１０において、図３のフローチャートと同じ処理ステップ番号は同じものを示す。図３と異なる処理はステップＳ４０１，Ｓ４０２，Ｓ４０３およびＳ４０４である。
【０１１０】
図１０において、ステップＳ１０１からステップＳ１０７までの処理は図３と同じである。そして、ステップＳ１０８の処理を実行する前に次の一連の処理を実行する。尚、音出力部１５４がスピーカ１１２から出力する音圧はデフォルト値に設定されているものとする。
【０１１１】
（ステップＳ４０１）制御部１０３の音圧制御部１５６は、音入力部１５５を介してマイク１１０から入力して音入力部１５５でＡ／Ｄ変換された外部音データの音圧を測定する。尚、音圧の測定は、例えばマイク１１０から入力して音入力部１５５でＡ／Ｄ変換された外部音データの二乗平均値を求める。或いは、周波数帯域を制限したり、ｄＢ（デシベル）に変換しても構わない。
【０１１２】
（ステップＳ４０２）制御部１０３の音圧制御部１５６は、ステップＳ４０１で計測した音圧が予め設定された所定値以上であるか否かを判別する。そして、所定値以上である場合はステップＳ４０３に進み、所定値未満である場合はステップＳ４０４に進む。
【０１１３】
（ステップＳ４０３）制御部１０３の音圧制御部１５６は、スピーカ１１２から発生させる同期音の音圧をデフォルト値より大きくする。例えば２倍にする。
【０１１４】
（ステップＳ４０４）制御部１０３の音圧制御部１５６は、スピーカ１１２から発生させる同期音の音圧をデフォルト値より小さくする。例えば１／２倍にする。
【０１１５】
以降、ステップＳ１０８において、制御部１０３の同期処理部１５３は、撮像素子１０２が撮影する画像フレームの代わりにメモリ１１１に予め記憶されている同期画像を挿入して記録処理部１５２に出力し、メモリカード１０４に動画像の画像フレームとして記録する。同時に、同期処理部１５３は、スピーカ１１２から同期音２１０を発生する。
【０１１６】
或いは、ステップＳ１０８の代わりに、第２実施形態のステップＳ２０２を実行し、制御部１０３の同期処理部１５３は、メモリ１１１から読み出した同期音（またはこの同期音とは異なる第２同期音）データをメモリカード１０４に記録するようにしても構わない。
【０１１７】
そして、ステップＳ１０９以降、レリーズボタン１０６ｂが全押しされるまで、記録処理部１５２は、撮像素子１０３から入力して画像処理部１５１でデジタルデータに変換された動画像データと、マイク１１０から入力する音声データとをメモリカード１０４に記録する。
【０１１８】
尚、本実施形態においても、第１実施形態と同様に録音機２００でもカメラ１００で動画像撮影中の外部音の録音を行っているので、図１０のステップＳ１０８でスピーカ１１２から発生する同期音が録音機２００のメモリカード２０２に記録される。
【０１１９】
これにより、撮影後に、メモリカード１０４とメモリカード２０２とをパソコンなどの動画編集ソフトウェアで読み込ませて、メモリカード１０４に記録されている同期画像データの位置と、メモリカード２０２に記録されている同期音データが記録された位置とを合わせるだけで容易にカメラ１００の動画像データと録音機２００で高音質に録音された音声データとを同期させることができる。
【０１２０】
特に、本実施形態では、スピーカ１１２から発生する同期音の音圧を外部音の大きさに応じて変化させるので、編集時に同期位置の識別が容易になる。
【０１２１】
（第５実施形態）
先に説明した第１実施形態から第４実施形態では、わかり易いように同期画像データの挿入を１つの画像フレーム分だけ行うものとして説明したが、例えばＭＰＥＧ規格では、複数フレーム単位で撮像素子が出力する動画像用の撮像信号を圧縮して動画像データを作成するため、画像フレーム単位の途中に同期画像などの異なる画像を挿入したり置き換えることが難しい場合がある。これは、画像フレーム毎に画像圧縮処理が完結しているわけではなく、時間的に前後する画像フレームの情報を利用して画像圧縮処理を行っているため、撮影画像と全く相関が無い同期画像を挿入した場合、画像圧縮処理を正常に行うことができなくなるからである。例えば、動画像のフレーム毎に圧縮処理が完結しているＭｏｔｉｏｎ−ＪＰＥＧ規格などによる動画像の撮影では、発生する同期音のタイミングに近接するＭ−ＪＰＥＧのフレーム位置の動画像フレームを同期画像のフレームに置き換えて記録しても、画像圧縮処理には影響を与えず、再生や編集も行うことができる。ところが、図１１に示すようなＭＰＥＧ規格による画像圧縮処理を行っている場合、ＧＯＰ（Ｇｒｏｕｐ  Ｏｆ  Ｐｉｃｔｕｒｅ）と呼ばれる１５フレーム単位で画像圧縮処理が行われる。例えば、図１１において、各ＧＯＰ単位の先頭のＩ（Ｉｎｔｒａ−ＣＯａｄｅｄ  Ｆｒａｍｅ）フレームはＪＰＥＧなどと同じように１フレームで完結した圧縮処理が行われているが、次のＢ（Ｂｉｄｉｒｅｃｔｉｉｏｎａｌ  Ｐｒｅｄｉｃｔｅｄ  Ｆｒａｍｅ）フレームやＰ（Ｐｒｅｄｉｃｔｅｄ  Ｆｒａｍｅ）フレームは、前後するフレームの画像を参照して差分値や動きベクトルなどによる圧縮処理が行われているため、いずれかのフレームの情報が欠落すると正常に画像を復元できないという問題が生じる。
【０１２２】
そこで、本実施形態では、先に説明した第１実施形態から第４実施形態において、ＭＰＥＧ規格など撮像する動画像データを所定フレーム数の処理ブロック単位でフレーム相関による圧縮を行って動画像データを記録する場合に対応する。
【０１２３】
例えば第１実施形態の図３のフローチャートのステップＳ１０８、第２実施形態の図７のフローチャートのステップＳ２０２、第３実施形態の図８のフローチャートのステップＳ３０３および第４実施形態の図１０のフローチャートのステップＳ１０８（Ｓ２０２）において、図１１に示すような処理を実行する。図１１は、横軸の紙面左側から右側に時間軸を取り、タイミングＴ１からＴ２が１つの動画像圧縮処理のためのブロック単位（ＧＯＰ）で撮像素子１０２から入力するフレーム４０１から４１５の１５フレームで構成される。同様に、タイミングＴ２からＴ３までの区間は次の１５フレームで構成される。本実施形態に係る電子カメラ１００では、同期処理部１５３は、同期画像データをタイミングＴ２からＴ３までの１５フレームの区間で撮像素子１０３によって撮影される動画像データに置き換えて同期画像２０１のフレーム４１６から４３０までの１５フレームを挿入する。そして、同期処理部１５３は、同期画像２０１の１５フレームの動画像データを画像処理部１５１が撮影画像に対して行う画像圧縮方法と同じ方法で画像圧縮し、記録処理部１５２を介してメモリカード１０４に記憶する。尚、この場合、同期処理部１５３は、静止した同期画像２０１の画像データを１５フレームを画像圧縮処理して挿入してもよいが、図６で説明したような動きのある１５フレームの同期画像データを画像圧縮処理して挿入してもよい。
【０１２４】
並行して、タイミングＴ１において、同期処理部１５３は、音出力部１５４を介してスピーカ１１２から同期音２１０を発生する。尚、発生する同期音２１０はタイミングＴ１から１フレーム期間や１フレーム以下の時間でもよいし、同期音２１０ｂのようにタイミングＴ１からＴ３までの１５フレームの全期間に亘って出力してもよい。
【０１２５】
これにより、撮影後に、メモリカード１０４とメモリカード２０２とをパソコンなどの動画編集ソフトウェアに読み込ませて、メモリカード１０４に記録されている同期画像２０１の開始位置（タイミングＴ２）と、メモリカード２０２に記録されている同期音２１０が記録された開始位置（タイミングＴ２）とを容易に合わせることができ、カメラ１００の動画像データと録音機２００で高音質に録音された音声データとを同期させることができる。
【０１２６】
尚、先の実施形態と同様に、電子カメラ１００の制御部１０３は、一連の同期画像のフレーム４１６から４３０を撮影時にメモリカード１０４に記録するのではなく、撮影時にはＧＯＰの位置情報やフレーム情報を動画像ファイルのヘッダ情報としてメモリカード１０４に記憶しておき、撮影後にメモリカード１０４から読み出して同期画像を挿入するようにしても構わない。これにより、撮影時の制御部１０３の処理負荷を減らすことができる。
【０１２７】
以上、各実施形態で説明してきたように、各実施形態に係るカメラ１００は、従来の「カチンコ」を用いて撮影する場合の様々な問題を解決できる。例えば、シャッター速度が十分に速くない場合でも「カチンコ」が閉じた瞬間が分かり易くなる。また、動画像のフレームレートが低い場合でも別機材で録音する音声との同期の誤差が少なくなる。
【０１２８】
さらに、１人で操作する場合でも、従来は「カチンコ」または被写体のどちらかがぼけて撮影されてしまうという問題があったが本実施形態では予め準備された「カチンコ」画像を用いるので、被写体からフォーカスがずれることなく「カチンコ」画像を挿入することができる。
【０１２９】
また、ＭＰＥＧ規格などフレーム単位での「カチンコ」画像の挿入が難しい動画圧縮処理を用いる場合でも画像圧縮の処理単位で同期音を発生させて「カチンコ」画像を挿入するので、音声の再生開始位置と動画像の撮影開始位置を正確に合わせることができる。
【０１３０】
このように、本実施形態に係るカメラ１００は、動画撮影された画像と、対応する音声とを精度良く同期させることができる。同様に、カメラ１００で動画撮影を行う動画撮影方法や、制御部１０３のＣＰＵで実行する動画撮影プログラムにおいても同様の効果が得られる。
【０１３１】
尚、上述した各実施形態であるカメラ１００の一部、例えば、制御部１０３の機能をコンピュータで実現できるようにしてもよい。この場合、その制御機能を実現するための制御プログラムをコンピュータ読み取り可能な記憶媒体に記録して、この記録媒体に記録された制御プログラムをコンピュータに読み込ませ、実行することによって実現してもよい。
【０１３２】
ここでいう「コンピュータシステム」とは、ＯＳ（Ｏｐｅｒａｔｉｎｇ  Ｓｙｓｔｅｍ）や周辺機器のハードウェアを含むものとする。また、「コンピュータ読み取り可能な記憶媒体」とは、フレキシブルディスク、光磁気ディスク、光ディスク、メモリカードなどの可搬型記録媒体、コンピュータシステムに内蔵されるハードディスク等の記憶装置のことを言う。
【０１３３】
さらに「コンピュータ読み取り可能な記憶媒体」とは、インターネット等のネットワークや電話回線等の通信回線を介してプログラムを送信する場合の通信線のように、短時間の間、動的にプログラム保持するもの、その場合のサーバやクライアントとなるコンピュータシステム内部の揮発性メモリのように、一定時間プログラムを保持するものを含んでもよい。また上記のプログラムは、前述した機能の一部を実現するためのものであってもよく、さらに前述した機能をコンピュータシステムに既に記録されているプログラムとの組合せにより実現するものであってもよい。
【０１３４】
以上、本発明に係るカメラについて、実施例を挙げて説明してきたが、その精神またはその主要な特徴から逸脱することなく他の多様な形で実施することができる。そのため、上述した実施例はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【０１３５】
１００，１００ａ…カメラ；１０１…レンズ；１０２…撮像素子；１０３…制御部；１０４…メモリカード；１０５…表示部；１０６…操作部；１０６ａ…電源ボタン；１０６ｂ…レリーズボタン；１０６ｃ…モード選択ボタン；１０６ｄ…ズームボタン（ワイド）；１０６ｅ…ズームボタン（テレ）；１０７…電源；１０８…駆動部；１０８ａ…ＡＦモータ；１０８ｂ…ズームモータ；１０９…補助光源；１１０…マイク；１１１…メモリ；１１２…スピーカ；１１３…測位部；１１４…計時部；１５１…画像処理部；１５２…記録処理部；１５３…同期処理部；１５４…音出力部；１５５…音入力部；１５６…音圧制御部；２００…録音機；２０１ａ，２０１ｂ…マイク；２０２…メモリカード；２５０…パソコン
【図１】
2012100216.tif 000003
【図２】
2012100216.tif 000004
【図３】
2012100216.tif 000005
【図４】
2012100216.tif 000006
【図５】
2012100216.tif 000007
【図６】
2012100216.tif 000008
【図７】
2012100216.tif 000009
【図８】
2012100216.tif 000010
【図９】
2012100216.tif 000011
【図１０】
2012100216.tif 000012
【図１１】
2012100216.tif 000013